(57)【要約】      （修正有）【課題】除霜用管ヒータで残霜防止用ヒータを兼用することができ、残霜防止用ヒータを除去できる安価で良好な冷却を行う冷蔵庫を提供する。【解決手段】内部に冷蔵室、野菜室、冷凍室を備えてなる複数の貯蔵室と、内部の空気を冷却する冷却器２と、冷凍室の背面側に仕切部材４を介して並設された冷却器２及び庫内の冷気戻り通路３と、冷却器２の側下方に設けられた冷気戻り通路３の吐出口と、冷却器２の上方に設けられた吐出口とを備えた冷蔵庫に於いて、冷却器２の下方で且つ仕切部材４を挟んで反冷却器側に除霜用管ヒータ６の端部を配置した。【選択図】図１
2006078177.tif 000002
【特許請求の範囲】
【請求項１】
内部に冷蔵室、野菜室、冷凍室を備えてなる複数の貯蔵室と、内部の空気を冷却する冷却器と、前記冷凍室の背面側に仕切部材を介して並設された冷却器及び庫内の冷気戻り通路と、前記冷却器の側下方に設けられた前記冷気戻り通路の吐出口と、前記冷却器の上方に設けられた吐出口とを備えた冷蔵庫に於いて、
前記冷却器の下方で且つ上記仕切部材を挟んで反冷却器側に除霜用管ヒータの端部を配置した冷蔵庫。
【請求項２】
上記仕切部材の冷気戻り通路側で且つ上記冷却器の投影領域に、前記冷気通路に突出し下方に傾斜させた遮断板を備えた請求項１記載の冷蔵庫。
【請求項３】
上記仕切部材の下端部に冷気戻り通路側の上方へ向かうにつれ前記通路側に傾斜したテーパ部を有した請求項１または２記載の冷蔵庫。
【発明の詳細な説明】
【技術分野】
【０００１】
冷凍室が最下部に配設された冷蔵庫の除霜用管ヒータに関する。
【背景技術】
【０００２】
従来の冷蔵庫の例を図３、図４で説明する。図３は従来の冷蔵庫の縦断面図、図４は図３の冷却器室の説明図である。
【０００３】
図に於いて、１０１は冷蔵庫本体であり、該冷蔵庫本体１０１は外箱と内箱との間にウレタンフォーム等の断熱材を充填し貯蔵室を形成する断熱箱体と、上方より冷蔵室１０３，野菜室１０５，冷凍室１０７とその開口前面には各貯蔵室を開閉する扉１０９，１１１，１１３とで形成されている。１１５は仕切壁であり、該仕切壁１１５は上記野菜室１０５と冷凍室１０７とを仕切るために設けられている。
【０００４】
１１７は冷却器であり、該冷却器１１７は冷凍室１０７の背面壁１１９に取り付けられ、周知の冷凍サイクルの一部を形成する圧縮機１２１と接続され、貯蔵室用の冷気を供給している。１２３は冷気循環用ファンであり、該冷気循環用ファン１２３は冷却器１１７の上部に取り付けられ、冷却器１１７の冷気を冷蔵室１０３，野菜室１０５及び冷凍室１０７へ送風している。１２５は冷気戻りダクトであり、該冷気戻りダクト１２５は上記背面壁１１９に冷却器１１７と並設されていて、冷蔵室１０３，野菜室１０５の戻り冷気を冷却器１１７の下方に送風するために設けられている。
【０００５】
１２７は仕切板であり、該仕切板１２７は冷却器１１７と冷気戻りダクト１２５との間に配設され、冷却器室１２９と冷気戻りダクト１２５との温度差によって冷気戻りダクト１２５の内面に湿気を含んだ戻り冷気によって結露や着霜等を抑制できるようダクト１２５と冷却器室１２９とを熱的に仕切ったものである。
【０００６】
１３１は除霜用管ヒータであり、該除霜用管ヒータ１３１は冷却器１１７の下部に配設され、冷気戻りダクト１２５を通って送風される湿気を含んだ冷気によって冷却器に着霜した霜を除霜するために設けられている。１３３は残霜防止用ヒータであり、該残霜防止用ヒータ１３３は上記仕切板１２７に取り付けられ、仕切板１２７を加熱し、冷気戻りダクト内の残霜防止用に配設されている。
【０００７】
このような技術は例えば、特開平８−１１０１４６号公報に開示されている。
【特許文献１】特開平８−１１０１４６号公報
【発明の開示】
【発明が解決しようとする課題】
【０００８】
上記の従来の冷蔵庫では以下のような問題点があった。即ち、冷却器への着霜による庫内の冷却効率の低下を防止するために、着霜した霜を除霜する除霜用管ヒータと、冷気戻りダクト内の残霜を防止する残霜防止用ヒータとが必要であった。
【０００９】
同時に、従来の技術では、除霜用の管ヒータは冷却器に着霜する霜を除霜するために設けられるものであり、必然的に冷却器の下方の投影面に位置するように設けられることが多い。このため、冷気戻りダクト１２５の底部、即ち図４に示す仕切壁１２７より右側での、ダクト壁の部分や樋と呼ばれる部分には、除霜用管ヒータからの熱が充分に届かない。ところが、この部分はダクトを流れてきた空気が向きを変え冷却器方向へ流れる部位であるため、空気が淀み易く霜が付着し易く、付着した霜は、冷蔵庫の除霜運転が終了後も残っている場合には、再度冷蔵庫の冷却運転中に残った霜に更に霜が付着して大きく成長する。こうして、冷気戻りダクトの冷却器への出口部分の面積は付着し成長した霜により小さくなり、冷気の循環が滞り冷却効率が低下てしまう。
【００１０】
これを防止するには、上記のダクト１２５から冷却器へ向かう出口面積を、霜を考慮して大きくすればよいが、この場合には、ダクト１２５からの冷気を冷却器１１７下方へ導くために仕切壁１２７の先端は冷却器１１７の最下方まで延材させる必要から、冷却器を取り付ける空間を大きくせざるを得ず、貯蔵室の容積を低減させ、部品も大きくなってしまうことになる。そこで、先の仕切壁１２７の右側部分のダクト出口部分に残霜防止ヒータを埋設させた構成を有する冷蔵庫もある。
【００１１】
このような冷従来の冷蔵庫では、上記の複数のヒータ等部品の増大や、これらのヒータを取り付ける手間とで冷蔵庫のコストアップさせるという問題があった。
【００１２】
さらには、残霜防止用ヒータの熱気で冷気戻りダクトとその内側のダクト内の空気の温度が上昇して、昇温した空気が庫内の各貯蔵室、特に冷蔵室及び野菜室に侵入してしまうという問題点があった。また、これを防ぐために過度のダクト内の昇温を避けて残霜防止ヒータのヒータ温度を下げてしまうと、仕切板の残霜に対して有効に加熱できないという問題があった。
【００１３】
本発明の目的は、上記の問題を除去し、安価で良好な冷却を行う冷蔵庫を提供することにある。
【課題を解決するための手段】
【００１４】
上記の目的を達成するために本発明の冷蔵庫では、内部に冷蔵室、野菜室、冷凍室を備えてなる複数の貯蔵室と、内部の空気を冷却する冷却器と、前記冷凍室の背面側に仕切部材を介して並設された冷却器及び庫内の冷気戻り通路と、前記冷却器の側下方に設けられた前記冷気戻り通路の吐出口と、前記冷却器の上方に設けられた吐出口とを備えた冷蔵庫に於いて、前記冷却器の下方で且つ上記仕切部材を挟んで反冷却器側に除霜用管ヒータの端部を配置したものである。
【００１５】
このように構成したものにおいては、除霜用管ヒータで残霜防止用ヒータを兼用することができ、残霜防止用ヒータを除去できるものである。
【００１６】
また、上記の目的を達成するために本発明に係る冷蔵庫は、上記仕切部材の冷気戻り通路側で且つ上記冷却器の投影領域に、前記冷気通路に突出し下方に傾斜させた遮断板を備えたものである。
また、上記仕切部材の下端部に冷気戻り通路側の上方へ向かうにつれ前記通路側に傾斜したテーパ部を有したものである。
【００１７】
このように構成したものにおいては、冷気戻りダクト内に発生する熱気の上昇を阻止でき、仕切板の残霜に対して有効加熱できるものである。
【発明の効果】
【００１８】
本発明によれば、安価で良好な冷却を行う冷蔵庫を提供することができる。
【発明を実施するための最良の形態】
【００１９】
本発明の一実施例を図１，図２を用いて説明する。
図１は本発明の冷蔵庫の冷却器室の要部縦断面図、図２は本発明の冷蔵庫の冷却器室の要部斜視図である。
【００２０】
図において、１は冷却器室であり、該冷却器室１は冷凍室が冷蔵室、野菜室の下部に配設した冷蔵庫に於いて冷凍室の背面壁に形成され、該室内には冷却器２と冷蔵室、野菜室の冷気戻りダクト３とが仕切板４を介して並設されている。上記冷却器２は周知の冷凍サイクルに接続され冷気を供給している。この冷気は冷却器２の上部に配設した冷気循環用ファン５によって各室に送風され各室を冷却し、上記冷気戻りダクト３を通って再び冷却器２へ戻るように構成されている。上記冷気戻りダクト３は上記仕切板４によって形成されている。
【００２１】
また、上記仕切板４の冷気戻りダクト３側の冷却器２の投影面は冷却器２によって、ひときわ冷却されるため冷蔵室、野菜室からの湿気を含んだ戻り冷気が通過する際に、その湿気を吸着して結露、あるいは着霜が起きる。この付着した霜を溶かし、残霜を阻止する為に従来の冷蔵庫ではこの部分に残霜防止用ヒータが附設されていた。
【００２２】
６は除霜用管ヒータであり、該除霜用管ヒータ６は冷気戻りダクト３の仕切板４部の残霜を防止するために上記冷却器２の下部で上記仕切板４の残霜に熱的影響を与える位置、その一例として冷気戻りダクト３側へ延設して配設されている。従って、この除霜用管ヒータ６は冷却器２の霜を除霜すると共に、従来この部分に使われていた残霜防止用ヒータを使わずに上記仕切板４の冷気戻りダクト３側の下部表面の着霜を溶かし、残霜を防止するものである。これにより、従来必要であった残霜防止用ヒータを省くことができ、製造コスト及びを製造時の手間を低減できる。また、冷気戻りダクト３の出口付近に付着する霜を効果的に除霜、あるいは残霜を抑制できるので、冷却効率の低下を防止できる。
【００２３】
７は遮蔽板であり、該遮蔽板７は下方に傾斜した日差し状の形状をし、上記仕切板４の冷気戻りダクト３側で冷却器２の投影面の上部に配設され、除霜用管ヒータ６による熱気の上昇を阻止し、該仕切板４の冷気戻りダクト側３の面で上記冷却器２の投影面に該熱気を滞留させるために設けられている。遮蔽板７を下方に傾斜した日差し状の形状にすることにより、冷気の通風抵抗を小さくしている。一例として、遮蔽板７の延設寸法Ｌ２は冷気戻りダクト３の幅寸法Ｌ１のほぼ半分で、遮蔽板７の幅寸法Ｄ２は冷却器２の幅寸法Ｄ１とほぼ一致させたものである。この様にすることにより、除霜用管ヒータ６の延設部Ｌ１の熱気の上昇をこの遮蔽板７で一時くい止めて、仕切板４の下部に形成した残霜にこの熱気を当てることによって残霜を加熱できるようにし、仕切板４の残霜をなくすようにしたものである。また、除霜用管ヒータ６の延設部Ｌ１の熱気の上昇を遮蔽板７で一時くい止めることによって、この熱気が冷気戻りダクト３を通って直接各貯蔵室へ侵入することがなくなり、各貯蔵室の温度上昇を阻止できるものである。
【００２４】
さらには、上記除霜用管ヒータ６の熱気が冷気戻りダクト３へ送られるように上記仕切板４の下端部に冷気戻りダクト側上りのテーパを設けている。このテーパ部によりヒータ６により熱せられた空気が霜が付着した冷気ダクト３内側へ向かいやすくすると共に、ヒータ６からの熱線がダクトの内側の壁面に届くようにできるものである。すなわち、上記のテーパ部の傾きは少なくとも、ヒータ端部からの熱線が、ダクト３の内側で冷却器２をほぼ水平方向に投影した領域に届くよう形成されているものである。
【００２５】
上記説明したとおり、冷気戻りダクトの仕切板部の残霜を防止する為に該冷却器の下部で上記仕切板の残霜に熱的影響を与える位置に除霜用管ヒータを配設したものであるから、従来仕切板４の残霜を防止するために従来仕切板４に附設していた残霜防止用ヒータ、あるいは冷気戻りダクトの出口側壁に埋設していたヒータを削除して、この残霜防止用ヒータを除霜用管ヒータ６で兼用することで、部品点数の少ない安価な冷蔵庫を提供できるものである。
【００２６】
また、上記仕切板の冷気戻りダクト側の面で上記冷却器の投影面の上部に、除霜用管ヒータによる熱気の上昇を阻止し、該仕切板の冷気戻りダクト側の面で上記冷却器の投影面に該熱気を滞留させる遮断板を設け、さらに、この遮断板を下方に傾斜した日差し状としたものである。この構成により、除霜用管ヒータ６から発生する熱気の上昇が遮蔽板７で一時くい止められ、この熱気が仕切板４の下部に付着した残霜を有効に溶かし、ここで熱気は冷やされ、冷気戻りダクト３を通って各貯蔵室へ入るので、各貯蔵室の温度上昇は小さくなり、良好な庫内の冷却を実現する冷蔵庫を提供できる。
【００２７】
さらにまた、上記除霜用管ヒータの熱気が冷気戻りダクト側へ送られるように上記仕切板の下端面部に冷気戻りダクト側上りのテーパを設けたものであるから、ヒータにより熱せられた庫内空気を効果的に冷気戻りダクト内に導き、またヒータの熱線をダクト内壁での冷却器が投影される領域に導くことで、より効果的に除霜、残霜防止を行い、より良好な庫内冷却を実現する冷蔵庫を提供できる。
【図面の簡単な説明】
【００２８】
【図１】本発明の冷蔵庫の冷却器室の要部縦断面図。
【図２】本発明の冷蔵庫の冷却器室の要部斜視図。
【図３】従来の冷蔵庫の縦断面図。
【図４】図３の冷却器室の説明図。
【符号の説明】
【００２９】
１・・・冷却器室              ２・・・冷却器
３・・・冷気戻りダクト        ４・・・仕切板
５・・・冷気循環用ファン      ６・・・除霜用管ヒータ
７・・・遮蔽板
【図１】
2006078177.tif 000003
【図２】
2006078177.tif 000004
【図３】
2006078177.tif 000005
【図４】
2006078177.tif 000006
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
内部に冷蔵室、野菜室、冷凍室を備えてなる複数の貯蔵室と、内部の空気を冷却する冷却器と、前記冷却器の下部に配設され前記冷却器を除霜する除霜用管ヒータと、庫内の背面側で前記冷却器と仕切部材を介して並設された冷気戻り通路と、前記冷却器の側下方に設けられた前記冷気戻り通路の吐出口と、前記冷却器の上方に設けられた吐出口とを備えた冷蔵庫において、
前記冷却器の下方で且つ前記仕切部材を挟んで反冷却器側に前記除霜用管ヒータの端部を配置し、
前記除霜用管ヒータの熱気が前記冷気戻り通路に送られるように、前記仕切部材の下端部を前記冷気戻り通路側へ上る形状とし、前記除霜用管ヒータにより熱せられた空気を前記冷気戻り通路に導くものとした冷蔵庫。
【請求項２】
前記仕切部材の下端部の前記形状を、前記除霜用管ヒータの端部からの熱が前記冷気戻り通路の内側で前記冷却器の水平方向投影領域に届く形状としたことを特徴とする請求項１に記載の冷蔵庫。
【請求項３】
前記仕切部材の下端部の前記形状を、前記冷気戻り通路側上りのテーパ形状としたことを特徴とする請求項１又は２に記載の冷蔵庫。
【手続補正２】
【補正対象書類名】明細書
【補正対象項目名】００１４
【補正方法】変更
【補正の内容】
【００１４】
上記の目的を達成するために本発明の冷蔵庫では、内部に冷蔵室、野菜室、冷凍室を備えてなる複数の貯蔵室と、内部の空気を冷却する冷却器と、前記冷却器の下部に配設され前記冷却器を除霜する除霜用管ヒータと、庫内の背面側で前記冷却器と仕切部材を介して並設された冷気戻り通路と、前記冷却器の側下方に設けられた前記冷気戻り通路の吐出口と、前記冷却器の上方に設けられた吐出口とを備えた冷蔵庫において、前記冷却器の下方で且つ前記仕切部材を挟んで反冷却器側に前記除霜用管ヒータの端部を配置し、前記除霜用管ヒータの熱気が前記冷気戻り通路に送られるように、前記仕切部材の下端部を前記冷気戻り通路側へ上る形状とし、前記除霜用管ヒータにより熱せられた空気を前記冷気戻り通路に導くものである。
【手続補正３】
【補正対象書類名】明細書
【補正対象項目名】００１５
【補正方法】変更
【補正の内容】
【００１５】
また、前記仕切部材の下端部の前記形状を、前記除霜用管ヒータの端部からの熱が前記冷気戻り通路の内側で前記冷却器の水平方向投影領域に届く形状としたものである。
【手続補正４】
【補正対象書類名】明細書
【補正対象項目名】００１６
【補正方法】変更
【補正の内容】
【００１６】
また、前記仕切部材の下端部の前記形状を、前記冷気戻り通路側上りのテーパ形状としたものである。
【手続補正５】
【補正対象書類名】明細書
【補正対象項目名】００１７
【補正方法】削除
【補正の内容】